(57)【要約】【目的】  パッシブ型のＲＦＩＤタグで目的のリーダライタにだけ情報を発信できるようにする。【構成】  ＩＣチップ４及びコイルアンテナ３を備えたパッシブ型のＲＦＩＤ１タグであって、コイルアンテナ３に手動で接続と切断を切り換え可能なアンテナスイッチ６を設けている。ユーザが目的とするリーダ／ライタの近くでのみアンテナスイッチ６を入れてＲＦＩＤタグ１をそのリーダ／ライタに近接させることによって、目的とするリーダ／ライタとだけ送受信を行うことができ、それ以外の意図しないリーダ／ライタや成りすましのリーダ／ライタとの送受信を回避することができる。【選択図】        図１
2007041817.tif 000002
【特許請求の範囲】
【請求項１】
メモリＩＣ及びアンテナ回路を備えたパッシブ型のＲＦＩＤタグであって、
前記アンテナ回路に手動で接続と切断を切り換え可能なアンテナスイッチを設けたことを特徴とするＲＦＩＤタグ。
【請求項２】
メモリＩＣ、アンテナ回路及び電源部を備えたアクティブ型のＲＦＩＤタグであって、
前記電源部が手動の発電手段を有することを特徴とするＲＦＩＤタグ。
【請求項３】
請求項２記載のＲＦＩＤタグであって、
前記電源部から前記メモリＩＣへの電力の供給と停止を切り換え可能な電源スイッチを設けたことを特徴とするＲＦＩＤタグ。
【請求項４】
メモリＩＣ、アンテナ回路及び電源部を備えたＲＦＩＤタグであって、
前記電源部から前記メモリＩＣへ電力を供給してアクティブ型として機能させる状態と、前記電源部と前記メモリＩＣとを切断してパッシブ型として機能させる状態とを切り換える機能切換スイッチを設けたことを特徴とするＲＦＩＤタグ。
【請求項５】
請求項１乃至４のいずれか一項に記載のＲＦＩＤタグと、該ＲＦＩＤタグとの間で電波の送受信を行うリーダ／ライタと、該リーダ／ライタで受信した情報を処理するデータ処理装置とからなることを特徴とするＲＦＩＤタグシステム。
【発明の詳細な説明】
【技術分野】
【０００１】
この発明は、半導体メモリを内蔵し、このメモリに対する情報の読み書きを非接触で行うことが可能なＲＦＩＤタグ、およびそのＲＦＩＤタグを使用するＲＦＩＤタグシステムに関する。
【背景技術】
【０００２】
近年、製造・流通・販売などの各業界において、管理、搬送される物品にＲＦＩＤ（Radio Frequency Identification）タグと称する記憶媒体を取り付け、リーダライタとの無線通信によりその物品に関する情報を非接触で読み書きするＲＦＩＤシステムが普及している。ＲＦＩＤタグは、メモリＩＣや通信用のアンテナ回路などを備えた非接触式ＩＣタグとも称されるものであり、物品に貼りつけやすいよう薄型で湾曲可能なシールタイプのものや、超小型のものなどが提供されている。
【０００３】
また、このＲＦＩＤタグの起動電力に係る分類として、電池を持たないパッシブ型と、電池を内蔵したアクティブ型がある。パッシブ型は、リーダ／ライタから電波を受信することによってＲＦＩＤタグの内部回路に起電力が生じ、自動的にメモリ内の情報を発信する。アクティブ型は、内蔵する電池により起動し、リーダ／ライタからの情報を要求する電波に応じてメモリ内の情報を発信する。
【発明の開示】
【発明が解決しようとする課題】
【０００４】
しかしながら、パッシブ型の場合は情報を要求する電波を発信した全てのリーダ／ライタに対して情報を発信するようになっている。そのため、本来情報を発信すべきリーダ／ライタと異なる成りすましのリーダ／ライタに対しても情報を発信してしまうので、セキュリティ上に問題があった。
【０００５】
また、アクティブ型の場合には内蔵電池の寿命により使用できる期間が限定される問題がある。そこで、電池交換可能に構成しようとすると、電池の着脱部分を対塵性や耐水性を考慮した密閉度の高い構成とする必要があるため、コスト高となってしまう。また、アクティブ型は電波を遠くまで伝送することが可能なため、意図しないリーダ／ライタが転送データを読み取ってしまう危険性もあった。
なお、リーダ／ライタがパッシブ型とアクティブ型の両方の機能を有するシステムに対しては、ＲＦＩＤタグもそれぞれ対応するものを１つずつ用意する必要があり、資源効率上ムダが多く、コスト高の原因となっていた。
【０００６】
この発明は、このような問題を解決するためになされたものであり、ＲＦＩＤタグ及びＲＦＩＤタグシステムにおいて、次のような目的を有する。
パッシブ型のＲＦＩＤタグで、目的のリーダ／ライタにだけ情報を発信できるようにする。
アクティブ型のＲＦＩＤタグで使用寿命の制限をなくし、低い製造コストで対塵性や耐水性を向上させるようにする。
さらに、パッシブ型とアクティブ型の両方に対応できるＲＦＩＤタグを提供する。
【課題を解決するための手段】
【０００７】
この発明は上記の目的を達成するため、メモリＩＣ及びアンテナ回路を備えたパッシブ型のＲＦＩＤタグにおいて、アンテナ回路に手動で接続と切断を切り換え可能なアンテナスイッチを設けたものである。
【０００８】
また、メモリＩＣ、アンテナ回路及び電源部を備えたアクティブ型のＲＦＩＤタグにおいて、上記電源部に手動の発電手段を設けるとよい。
さらに、上記電源部から上記記憶メモリＩＣへの電力の供給と停止を切り換え可能な電源スイッチを設けるとよい。
【０００９】
また、記憶メモリＩＣ、アンテナ回路及び電源部を備えたＲＦＩＤタグにおいて、上記電源部から上記憶メモリＩＣへ電力を供給してアクティブ型として機能させる状態と、上記電源部とメモリＩＣとを切断してパッシブ型として機能させる状態とを切り換える機能切換スイッチを設けるとよい。
【００１０】
上記いずれかのＲＦＩＤタグと、そのＲＦＩＤタグとの間で電波の送受信を行うリーダ／ライタと、そのリーダ／ライタで受信した情報を処理するデータ処理装置とからなるＰＦＩＤタグシステムも提供する。
【発明の効果】
【００１１】
この発明によれば、パッシブ型のＲＦＩＤタグで目的のリーダ／ライタにだけ情報を発信することができる。
また、アクティブ型のＲＦＩＤタグでも使用寿命に限りがなくなるとともに、低い製造コストで高い対塵性や耐水性を実現できる。
さらに、パッシブ型とアクティブ型の両方に対応できる。
【発明を実施するための最良の形態】
【００１２】
以下、この発明を実施するための最良の形態を図面に基づいて具体的に説明する。
〔第１実施例〕
まず、この発明の第１実施例によるＲＦＩＤタグ及びこのＲＦＩＤタグを使用するＲＦＩＤタグシステムについて説明する。
【００１３】
図１はこの発明によるＲＦＩＤタグの第１実施例の構成を模式的に示す平面図であり、図２は同じくそのＡ−Ａ線に沿う断面図である。図１、図２において、このＲＦＩＤタグ１はカードタイプのものであって、適宜の絶縁材からなる名刺サイズの基板カード２と、この基板カード２の片面に１本のアンテナ線を略矩形の一筆書き状にプリント形成したコイルアンテナ３と、このコイルアンテナ３の両端間に接続されているＩＣチップ４と、ループ配置のアンテナ線の外周と内周の端部を橋渡しして接続するためのブリッジ５と、アンテナ線の一箇所に設けられたアンテナスイッチ６とを備えている。そのコイルアンテナ３とアンテナスイッチ６とによってアンテナ回路を構成している。
【００１４】
ＩＣチップ４はメモリＩＣとして機能するものであり、図３に示すように、電源整流部４１と、大きな記憶容量を有するメモリ４２と、コイルアンテナ３が受信した電波信号を情報信号に変換する受信部４３と、メモリ42から読み出した情報信号をコイルアンテナ３から発信可能な電波信号に変換する送信部４４の４つの機能部で構成されている。
コイルアンテナ３は、外部のリーダ／ライタとの間で電波信号を送受信する信号アンテナであるとともに、リーダ／ライタから受ける電波を共振作用によってエネルギを有する電磁波として受け、電磁誘導作用により起電力を発生する電力アンテナとしても機能する。
【００１５】
以上の構成により、この実施形態のＲＦＩＤタグ１は、外部から受けた電波により電源整流部４１が電力を発生して受信部４３及び送信部４４とメモリに４２も供給して、それらを動作させるとともに、情報を要求する電波信号に応答してメモリ４２に格納している情報のうち所定の情報を電波信号にして発信するパッシブ型のＲＦＩＤタグである。
【００１６】
そして、この実施例のＲＦＩＤタグ１が最も特徴とする構成がコイルアンテナ３によるアンテナ回路に設けたアンテナスイッチ６であり、このアンテナスイッチ６はアンテナ線の１箇所に設けられた押しバネ式の接点６ａに絶縁体からなる押し板６ｂで覆ったものである。この押し板６ｂを指で押圧することでアンテナ線を接続してコイルアンテナ３によるアンテナ回路を形成させることができ、押し板６ｂから指を離すことでアンテナ線を切断してコイルアンテナ３の機能を停止させる。このアンテナスイッチ６は、絶縁体の押し板６ｂを介して接点の押圧操作を行うため、コイルアンテナ３が受電する微弱な電流の漏出を遮断し、またノイズの混入をも防ぐことができる。
【００１７】
図４は、このＲＦＩＤタグを用いるＲＦＩＤタグシステムの概略構成図である。この図４において、ＲＦＩＤタグに対応するリーダ／ライタ側のシステムとしては、ＲＦＩＤタグ１に対して情報の読み込みと書込みを行うリーダ／ライタ１０１と、このリーダ／ライタ１０１に接続して情報の処理を行うパーソナルコンピュータで構成するデータ処理装置１０２とを備えている。また、リーダ／ライタ１０１は、ＲＦＩＤタグ１との間で電波の送受により非接触で電力の供給と情報の送受信を行うアンテナ１０３と、このアンテナ１０３に接続して電波の送受信を制御するコントローラ１０４とで構成されている。
【００１８】
図５は、上記ＲＦＩＤタグシステムにおいて、リーダ／ライタ１０１側がＲＦＩＤタグ１から所定の情報を読み込んで処理する場合に、ＲＦＩＤタグ１とリーダ／ライ１０１側が順次行う行程を示すフローチャートである。なお、このフローチャートに示す行程のうち、ステップ１０１からステップ１０５がＲＦＩＤタグ１の手順を示し、その後のステップ１０６からステップ１０８がリーダ／ライタ１０１側の手順を示している。なお、このフローチャートでは、各処理のステップをＳと略記している。以後のフローチャートにおいても同様である。
【００１９】
この図５に示す行程は、リーダ／ライタ１０１がコントローラ１０４の制御により常にアンテナ１０３から電波を発信している待機状態となっており、またＲＦＩＤタグ１においては、アンテナスイッチ６が切断されて停止状態となっていることを前提として開始する。
まず、停止状態のＲＦＩＤタグ１はコイルアンテナ３が機能しないため、意図しないリーダ／ライタ１０１が強い電波を発信しても、誤反応をして情報を発信するようなことはない。そして、ステップ１０１でＲＦＩＤタグ１のユーザがアンテナスイッチ６を押圧操作するとコイルアンテナ３が接続され、ＲＦＩＤタグ１が使用可能状態となる。以降、ステップ１０５までその状態を継続するものとする。
【００２０】
次に、ステップ１０２で、ユーザが目的のリーダ／ライタ１０１にＲＦＩＤタグ１を近接させて、ＲＦＩＤタグ１のコイルアンテナ３にリーダ／ライタ１０１から発信する特定の周波数の電波を共振作用によって受信させる。それによって、次のステップ１０３でコイルアンテナ３に電磁誘導作用による起電力が発生し、それを整流してＩＣチップ４の各部に電力を供給する。そして、ステップ１０４でＩＣチップ４が起動してコイルアンテナ３によって受信部４３が受信する情報要求信号に応じて所定の情報をメモリ４２から読み出して情報信号を生成し、次のステップ１０５で送信部４４によってその情報信号に対応する電波信号をコイルアンテナ３から発信する。
【００２１】
なお、以上のステップ１０１からステップ１０５までが、ＲＦＩＤタグ１側で行われる行程であるが、上記のステップ１０１とステップ１０２の行程は逆の順序で行ってもよい。つまり、ユーザはＲＦＩＤタグ１を目的のリーダ／ライタ１０１に近接させてからアンテナスイッチ６を接続してもよく、この場合でも正しいシーケンスでＲＦＩＤタグ１内の電源供給を開始することができる。また、この場合には、ステップ１０３の起電力の発生からステップ１０５の電波発信までは瞬時に行われるため、ユーザはアンテナスイッチ６を一瞬だけ押圧すればよい。
【００２２】
そして、リーダ／ライタ１０１側は、ステップ１０６でＲＦＩＤタグ１からの電波を受信し、ステップ１０７でコントローラ１０４がそれを情報信号に変換してデータ処理装置１０２へ送る。ステップ１０８で、データ処理装置１０２によりその情報を処理して、ＲＦＩＤタグ１の認識や管理などを行う。
【００２３】
以上の手順で動作するこの実施例のＲＦＩＤタグシステムによれば、ユーザが目的とするリーダ／ライタ１０１の近くでのみアンテナスイッチ６を入れてＲＦＩＤタグ１を近接させるか、接近してからアンテナスイッチ６を入れてることによって、目的とするリーダ／ライタとの送受信処理だけを行うことができ、それ以外の意図しない他のリーダ／ライタや成りすましのリーダ／ライタとの送受信を回避することができる。
なお、上述した行程は、リーダ／ライタ１０１側が要求する情報をＲＦＩＤタグ１から読み込む行程だけを示したが、ＲＦＩＤタグ１の記憶メモリがＮＶ−ＲＡＭなどの書き換え可能な不揮発性メモリであれば、リーダ／ライタ１０１側から発信する情報をＲＦＩＤタグ１に書き込む処理を行うこともできる。
【００２４】
〔第２実施例〕
次に、この発明によるＲＦＩＤタグの第２実施例、およびそのＲＦＩＤタグを使用するＲＦＩＤタグシステムについて説明する。
図６は、この発明によるＲＦＩＤタグの第２実施例の構成を模式的に示す図であり、ここでは上記第１実施例のものと相違する構成のみを説明し、他の共通する構成については図１と同じ符号を付して説明を省略する。
【００２５】
図６において、このＲＦＩＤタグ１１は基板カード２に、ユーザの手動操作によって電力を発生可能な手動発電素子１２と、二次電池やコンデンサなどで構成する蓄電素子１３と、電源スイッチ１４とを備えている。また、このＲＦＩＤタグ１１のコイルアンテナ３によるアンテナ回路には、第１実施例におけるアンテナスイッチ6に相当するスイッチを設けず、常に電波を送受可能なアンテナ回路になっている。
手動発電素子１２は、ピエゾ素子などの圧電素子を使用した構成のものであり、ユーザが指で圧電素子上に繰り返し圧力をかけることによって発電できるものである。また、他の手動発電素子の例としては、ユーザが指で磁石をスライド移動させて、発電用コイルの中を通過させることによってコイルに発電させるものなどがある。
【００２６】
蓄電素子１３は、手動発電素子１２で発電した電力を蓄電できるよう接続されている。そして、ＩＣチップ４′は電源スイッチ１４を介して蓄電素子１３に接続されており、ユーザはこの電源スイッチ１４の接続（ＯＮ）と切断（ＯＦＦ）を切り換えることによって、蓄電素子１３からＩＣチップ４′への電力の供給と停止を切り換えることができる。つまり、ＩＣチップ４′の起動と停止を操作することができる。
したがって、この実施例のＩＣチップ４′は、図３に示した第１実施例のＩＣチップ４における電源整流部４１を除いた構成であり、電源は蓄電素子１３から電源スイッチ１４を介して供給される。なお、電源スイッチ１４は、図１に示したアンテナスイッチ６と同じ構造の押しバネ式スイッチを用いることができる。
【００２７】
以上の構成により、この実施例のＲＦＩＤタグ１１は、外部のリーダ／ライタ１０１からのアクセスに直ぐに応答可能であり、位置検出機能も有するアクティブ型として機能するものでありながら、電源として手動発電素子１２を備えているので半永久的に使用することができ、また電池交換作業や電池交換のための分解可能な構造にする必要ないため、低コストで高い耐水性や耐塵性を実現できる。
【００２８】
さらに、電源スイッチ１４を備えていることにより、前述した第１実施例のＲＦＩＤタグシステムと同様な効果も得られる。
図７は、この実施例のＲＦＩＤタグ１１を使用するＲＦＩＤタグシステムによって、リーダ／ライタ１０１側がＲＦＩＤタグ１１から所定の情報を読み込んで処理する場合に、ＲＦＩＤタグ１１とリーダ／ライタ１０１側が順次行う行程を示すフローチャートである。なお、このフローチャートに示す行程のうち、ステップ２０１〜ステップ２０５がＲＦＩＤタグ１１の手順を示し、その後のステップ２０６〜ステップ２０８がリーダ／ライタ１０１側の手順を示している。
【００２９】
この場合も、リーダ／ライタ１０１側が図４に示したコントローラ１０４の制御により常にアンテナ１０３から電波を発信している待機状態となっており、ＲＦＩＤタグ１１は蓄電素子１３に電圧が充電されておらず、電源スイッチ１４が切断されて停止状態になっていることを前提として、図６の行程を開始する。
まず、ステップ２０１で、停止状態のＲＦＩＤタグ１１に対し、ユーザは電源スイッチ１４を切断したまま手動発電素子１２を手動操作して発電させ、蓄電素子１３への充電を完了させる。次にステップ２０２で電源スイッチを接続し、ＩＣチップ４に電力を供給して起動させる。それによって、ＲＦＩＤタグ１１が外部から電波を受信可能な待機状態となる。以降、ステップ２０５までその状態を継続する。
【００３０】
次にステップ２０３で、ユーザが目的のリーダ／ライタ１０１にＲＦＩＤタグ１１を近接させ、コイルアンテナ３にリーダ／ライタ１０１が発信する電波を受信させる。その後、ステップ２０４でＩＣチップ４は、コイルアンテナ３から受信部が受信した情報要求に応じた所定の情報をメモリから読み出して情報信号を生成し、次のステップ２０５で送信部がコイルアンテナ３からその情報信号に対応する電波信号を発信する。
【００３１】
なお、以上のステップ２０１からステップ２０５までが、ＲＦＩＤタグ１１側で行われる行程であるが、上記のステップ２０２とステップ２０３の行程は逆の順序で行ってもよい。つまり、ユーザはＲＦＩＤタグ１１を目的のリーダ／ライタ１０１に近接させてから電源スイッチを入れてもよい。その場合でも正しいシーケンスでＩＣチップ４を起動し、リーダ／ライタ１０１からの情報要求信号を受信することができる。また、この場合には、ＩＣチップ４′の起動からステップ１０５の電波発信までは瞬時に行われるため、ユーザは電源スイッチ１４を一瞬だけ押圧すればよい。
【００３２】
そして、リーダ／ライタ１０１側は、ステップ２０６でＲＦＩＤタグ１１からの電波信号をアンテナ１０３で受信し、ステップ２０７でコントローラ１０４により情報信号に変換して、データ処理装置１０２へ送る。そして、ステップ２０８で、データ処理装置１０２によってその情報を処理し、ＲＦＩＤタグ１１の認識や管理などを行う。
【００３３】
このような手順で動作するこの実施例のＲＦＩＤタグシステムによっても、第１実施例と同様な効果が得られる。特に、電波を遠くまで伝送可能なアクティブ型でありながら、移動途中における意図しないリーダ／ライタとの送受信を回避し、目的とするリーダ／ライタ１０１に対してだけ要求された情報を送信することができる。なお、予め蓄電素子１３にＩＣチップ４を起動できる十分な蓄電量が充電されていれば、継続して使用可能であるため、ステップ２０１の発電操作を省略することもできる。
【００３４】
また、この第２実施例の変形例として、電源スイッチを設けずにＩＣチップ４を蓄電素子１３に直接接続した構成にしてもよい。この場合には、ＩＣチップ４自体が蓄電素子の蓄電量を検知し、十分な蓄電量が充電された際に自動的に起動して電波を受信可能な待機状態となるようにすればよい。さらに、この変形例において、コイルアンテナ３に図１に示したアンテナスイッチ６を設けることによって、第１実施例と同じ機能及び効果が得られるアクティブ型のＲＦＩＤタグとすることもできる。
【００３５】
〔第３実施例〕
次に、この発明によるＲＦＩＤタグの第３実施例及びそのＲＦＩＤタグを使用するＲＦＩＤタグシステムについて説明する。
図８は、この発明によるＲＦＩＤタグの第３実施例の構成を模式的に示す図であり、ここでは上記第１実施例のものと相違する構成のみを説明し、他の共通する構成については図１及び図6と同じ符号を付して説明を省略する。
【００３６】
図8において、このＲＦＩＤタグ２１は、基板カード２にアクティブ動作時用の電源である小型電池２２と、機能スイッチ２３とを備えており、またコイルアンテナ３にはアンテナスイッチ６を設けずに、常に電波を送受信可能なアンテナ回路を形成している。
このＲＦＩＤタグ２１のＩＣチップ４″は、図３に示した第１実施例のＩＣチップと同様に構成されているが、機能スイッチ２３を介して小型電池２２にも接続されている。したがって、ユーザはこの機能スイッチ２３の接続と切断を切り換えることによって、小型電池２２からＩＣチップ４″への電力の供給と停止を切り換えることができる。
なお、機能スイッチ２３は、図１に示したアンテナスイッチ６と同じ構造の押しバネ式スイッチを用いることができる。
【００３７】
このＲＦＩＤタグ２１が最も特徴とする点は、ＩＣチップ４″がその動作形態を切り換えできる機能を有していることであり、機能スイッチ２３を接続して小型電池２２から電力を供給している間はＩＣチップ４がアクティブ型として機能し、機能スイッチ２３を切断して小型電池２２の電力を供給していない間は、コイルアンテナ３が受信する電波によって図３に示した電源整流部４１が電力を発生して各部に供給するパッシブ型として機能する。
そのため、この実施例のＲＦＩＤタグ２１はパッシブ型とアクティブ型の両方の環境に対応することができ、資源効率上のムダを少なくしてコストを削減できる効果がある。
【００３８】
図９は、この第３実施例のＲＦＩＤタグ２１を用いたＲＦＩＤタグシステムによって、リーダ／ライタ１０１側がＲＦＩＤタグ２１から所定の情報を読み込んで処理する場合に、ＲＦＩＤタグ２１とリーダ／ライタ１０１側が順次行う行程を示すフローチャートである。なお、このフローチャートに示す行程のうち、ステップ３０１からステップ３０５及びステップ３０９，３１０がＲＦＩＤタグ２１の手順を示し、その他のステップ３０６からステップ３０８がリーダ／ライタ１０１側の手順を示している。
【００３９】
この場合も、リーダ／ライタ１０１側がコントローラ１０４の制御により常にアンテナ１０３から電波を発信している待機状態となっており、ＲＦＩＤタグ２１は、機能スイッチ２３が切断されてパッシブ型の停止状態となっているものとする。
この状態で図８の行程を開始すると、まずステップ３０１で、ＲＦＩＤタグ２１側のユーザが機能スイッチ２３を接続するか否かによって、パッシブ型とアクティブ型のいずれかの動作形態が選択される。
【００４０】
機能スイッチ２３を切断したままでパッシブ型を選択した場合には、ステップ３０２へ進み、ユーザが目的のリーダ／ライタ１０１にＲＦＩＤタグ２１を近接させて、ＲＦＩＤタグ２１のコイルアンテナ３にリーダ／ライタ１０１から発信する特定の周波数の電波を受信させる。それによって次のステップ３０３で、コイルアンテナ３に電磁誘導作用による起電力が生じ、ＩＣチップ４″の電源整流部が電力を発生して各部に供給してパッシブ型としてＩＣチップ４″が起動する。そして、ステップ３０４でコイルアンテナ３から受信部が情報要求を受信し、その情報要求に応じた所定の情報をメモリから読み出して情報信号を生成する。そして、次のステップ３０５でＲＦＩＤタグ２１の送信部がコイルアンテナ３からその情報に対応する電波信号を発信する。
【００４１】
そして、リーダ／ライタ１０１側は、ステップ３０６でＲＦＩＤタグ２１からの電波信号をアンテナ１０３で受信し、ステップ１０７でコントローラ１０４により情報信号に変換して、データ処理装置１０２へ送る。それによって、ステップ１０８でデータ処理装置１０２がその情報を処理して、ＲＦＩＤタグ２１の認識や管理などを行う。
【００４２】
一方、ステップ３０１で機能スイッチ２３を接続してアクティブ型を選択した場合には、ステップ３０９へ進んでＩＣチップ４″に小型電池２２の電力が供給され、ＩＣチップ４″がアクティブ型として起動する。そして、次のステップ３１０で、ユーザがＲＦＩＤタグ２１を目的のリーダ／ライタ１０１に近接させて、コイルアンテナ３にそのリーダ／ライタ１０１からの電波を受信させて、ステップ３０４以降の行程を順次行う。
【００４３】
この実施例のＲＦＩＤタグシステムによれば、ＲＦＩＤタグ２１でパッシブ型とアクティブ型を一体化し、機能スイッチ２３の操作により両方の環境に対応する動作状態に切り換えることができる。また、このような使い分けによりリーダ／ライタとの距離をある程度制御することが可能になり、セキュリティを向上させることができる。
【００４４】
以上で各実施例の説明を終了するが、上述の各実施例に共通して、各部の仕様や構成は上述したものに限定されることはなく、この発明の主旨に沿う範囲内で種々の変更をすることが可能である。
【産業上の利用可能性】
【００４５】
この発明によるＲＦＩＤタグは、例えばカード型やコイン型など形状には関係なく、また回路は埋め込み式、貼り付け式などその構造についても特に制約となるものはない。そして、製造、流通、販売などの各業界において物品を管理したり、搬送する際などに使用するさまざまなＲＦＩＤタグ及びＲＦＩＤタグシステムに適用が可能である。
【図面の簡単な説明】
【００４６】
【図１】この発明によるＲＦＩＤタグの第一実施例の構成を模式的に示す平面図である。
【図２】同じくそのＡ−Ａ線に沿う断面図である。
【図３】図１及び図２におけるICチップ４の構成例を示すブロック図である。
【図４】図１及び図２に示したＲＦＩＤタグを用いるＲＦＩＤタグシステムの概略構成図である。
【００４７】
【図５】同じくそのＲＦＩＤタグシステムにおけるＲＦＩＤタグとリーダ／ライタ側が順次行う行程の例を示すフローチャートである。
【図６】この発明によるＲＦＩＤタグの第２実施例の構成を模式的に示す平面図である。
【図７】同じくそのＲＦＩＤタグシステムにおけるＲＦＩＤタグとリーダ／ライタ側が順次行う行程の例を示すフローチャートである。
【００４８】
【図８】この発明によるＲＦＩＤタグの第３実施例の構成を模式的に示す平面図である。
【図９】同じくそのＲＦＩＤタグシステムにおけるＲＦＩＤタグとリーダ／ライタ側が順次行う行程の例を示すフローチャートである。
【符号の説明】
【００４９】
１，１１，２１：ＲＦＩＤタグ    ２：基板カード    ３：コイルアンテナ（アンテナ回路）    ４，４′，４″：ＩＣチップ（メモリＩＣ）    ５：ブリッジ    ６：アンテナスイッチ    ６ａ：接点    ６ｂ：押し板    １２：手動発電素子（電源部）    １３：蓄電素子    １４：電源スイッチ  ２２：小型電池（電源部）    ２３：機能スイッ
４１：電源整流部    ４２：メモリ    ４３：受信部    ４４：送信部    １０１：リーダ／ライタ    １０２：データ処理装置    １０３：アンテナ    １０４：コントローラ
【図１】
2007041817.tif 000003
【図２】
2007041817.tif 000004
【図３】
2007041817.tif 000005
【図４】
2007041817.tif 000006
【図５】
2007041817.tif 000007
【図６】
2007041817.tif 000008
【図７】
2007041817.tif 000009
【図８】
2007041817.tif 000010
【図９】
2007041817.tif 000011